(57)【要約】【課題】  予め組み立てた後に搬送しても、分解してしまうなど品質が劣化してしまうことを確実に防止できるランプユニットの電線接続構造を提供する。【解決手段】  被覆電線２を保持可能なるベース部３及び該ベース部３を覆うことで前記被覆電線２を狭持可能なるカバー部４により構成されてなる電線支持具５と、光源手段６を保持可能なるベース部７及び該ベース部７を覆うことで前記光源手段６を狭持可能なるカバー部８により構成されてなる光源支持具９とより構成されてなる。【選択図】        図５
2006339039.tif 000002
【特許請求の範囲】
【請求項１】
被覆電線を保持可能なるベース部及び該ベース部を覆うことで前記被覆電線を狭持可能なるカバー部により構成されてなる電線支持具と、光源手段を保持可能なるベース部及び該ベース部を覆うことで前記光源手段を狭持可能なるカバー部により構成されてなる光源支持具とより構成されてなることを特徴とするランプユニットの電線接続構造。
【請求項２】
請求項１に記載のランプユニットの電線接続構造であって、
前記電線支持具のベース部には、被覆電線を差し込むだけで電気的に接続可能なるコンタクトプレートがインサート成形してなり、該コンタクトプレートは、光源支持具のベース部に配設した基板と電気的に常時接続されてなると共に成形後にプラス電極側とマイナス電極側とが断絶されてなることを特徴とするランプユニットの電線接続構造。
【請求項３】
請求項１又は請求項２に記載のランプユニットの電線接続構造であって、
前記光源支持具のベース部を中心に、電線支持具と、光源支持具のカバー部とがほぼＬ字状に形成されてなり、
電線支持具のカバー部と光源支持具のカバー部との一方が他方に係合する関係に構成されてなることを特徴とするランプユニットの電線接続構造。
【発明の詳細な説明】
【技術分野】
【０００１】
この発明は、ルームランプ等のランプユニットの電線接続構造に関するものである。
【背景技術】
【０００２】
従来のランプユニットの電線接続構造としては、例えば、ルームランプのハウジングにスクリューで支持されたバルブ接点としての双方の電線接続端子の間にバルブが介装されると共に一方の電線接続端子に車体側コネクタに接続されるルームランプ用コネクタに接続されてなる被覆電線が接続されている（例えば、特許文献１参照。）。
【０００３】
【特許文献１】特開２００２−０５６９１３号公報
【発明の開示】
【発明が解決しようとする課題】
【０００４】
しかしながら、このような従来のランプユニットの電線接続構造にあっては、かかるルームランプに予めバルブや被覆電線をセットした後にシャシーメーカへの搬送手段に託すると、該バルブや被覆電線が電線接続端子に装設されてなるだけ（特にバルブは電線接続端子の弾性力により保持されているだけ）なので、搬送時の振動等により該電線接続端子からバルブや被覆電線が脱落して分解してしまうおそれがある。また、バルブや被覆電線がランプユニットから分解した状態でシャシーメーカなどに搬入すれば、該シャシーメーカでそれらを組み立てる必要があり、シャシーメーカでの工数増大に直結し、原価が高騰することになる。分解した状態でシャシーメーカなどに搬入して、組立要員をシャシーメーカに派遣すれば、派遣に伴う工数が増大することになる。シャシーメーカでの組み立て後の精度チェックの設備なども必要となり、そうした設備を置く敷地をシャシーメーカに依頼する必要が生じるなど原価高騰の大きな要因となる。
【０００５】
この発明は、このような従来の課題に着目してなされたものであり、予め組み立て後に搬送しても、分解するなど品質の劣化が確実に防止できるランプユニットの電線接続構造を提供するものである。
【課題を解決するための手段】
【０００６】
請求項１に記載の発明は、ランプユニットの電線接続構造として、被覆電線を保持可能なるベース部及び該ベース部を覆うことで前記被覆電線を狭持可能なるカバー部により構成されてなる電線支持具と、光源手段を保持可能なるベース部及び該ベース部を覆うことで前記光源手段を狭持可能なるカバー部により構成されてなる光源支持具とより構成されてなることを特徴とする。
【０００７】
請求項２に記載の発明は、請求項１に記載のランプユニットの電線接続構造であって、前記電線支持具のベース部には、被覆電線を差し込むだけで電気的に接続可能なるコンタクトプレートがインサート成形してなり、該コンタクトプレートは、光源支持具のベース部に配設した基板と電気的に常時接続されてなると共に成形後にプラス電極側とマイナス電極側とが断絶されてなることを特徴とする。
【０００８】
請求項３に記載の発明は、請求項１又は請求項２に記載のランプユニットの電線接続構造であって、前記光源支持具のベース部を中心に、電線支持具と、光源支持具のカバー部とがほぼＬ字状に形成されてなり、電線支持具のカバー部と光源支持具のカバー部との一方が他方に係合する関係に構成されてなることを特徴とする。
【発明の効果】
【０００９】
請求項１に記載の発明によれば、ランプユニットの電線接続構造として、被覆電線を保持可能なるベース部及び該ベース部を覆うことで前記被覆電線を狭持可能なるカバー部により構成されてなる電線支持具と、光源手段を保持可能なるベース部及び該ベース部を覆うことで前記光源手段を狭持可能なるカバー部により構成されてなる光源支持具とより構成されてなるので、被覆電線も光源手段も共に電線支持具及び光源支持具に確実に狭持されることになり、予め被覆電線と光源手段とを組み立てた後に搬送しても、分解などせず、品質の劣化が確実に防止できる。
【００１０】
請求項２に記載の発明によれば、請求項１に記載の効果に加え、前記電線支持具のベース部には、被覆電線を差し込むだけで電気的に接続可能なるコンタクトプレートがインサート成形してなるので、コンタクトプレートにより電線を差し込むだけで支持ができることになり、取付作業性が著しく向上する。また、コンタクトプレートに電線を差し込むだけで被覆部から電線が露出して電気的接続が確実となるので、接続作業性が著しく向上する。また、前記コンタクトプレートは、光源支持具のベース部に配設した基板と電気的に常時接続されてなるので、配線用の別部材が不要となり、その分原価が低減できる。更に、コンタクトプレートをベース部に成形支持後にプラス電極側とマイナス電極側とを断絶されてなるので、コンタクトプレートが電線と同じ機能を発揮できる状態にするのが容易である。
【００１１】
請求項３に記載の発明によれば、請求項１又は請求項２に記載の効果に加え、前記光源支持具のベース部を中心に、電線支持具と、光源支持具のカバー部とがほぼＬ字状に形成されてなるので、コンパクトになり、狭い空間内に収納することが可能となる。また、電線支持具のカバー部と光源支持具のカバー部との一方が他方に係合する関係に構成されてなるので、双方のカバー部の支持が確実となる。
【発明を実施するための最良の形態】
【００１２】
予め組み立てた後に搬送しても、分解してしまうなど品質が劣化してしまうことを確実に防止できるランプユニットの電線接続構造を提供するため、被覆電線を保持可能なるベース部及び該ベース部を覆うことで前記被覆電線を狭持可能なるカバー部により構成されてなる電線支持具と、光源手段を保持可能なるベース部及び該ベース部を覆うことで前記光源手段を狭持可能なるカバー部により構成されてなる光源支持具とより構成されてなることで、実現した。
【実施例１】
【００１３】
以下、この発明の一実施例を図１〜図３に基づいて説明する。
【００１４】
符号１は、ランプユニットの電線接続構造であって、該ランプユニットの電線接続構造１は、被覆電線２を保持可能なるベース部３及び該ベース部３を覆うことで前記被覆電線２を狭持可能なるカバー部４により構成されてなる電線支持具５と、光源手段であるＬＥＤ６を保持可能なるベース部７及び該ベース部７を覆うことで前記ＬＥＤを狭持可能なるカバー部８により構成されてなる光源支持具９とより構成されてなる。図４の符号４ａは、被覆電線２を収納可能なるように形成された凹部である。
【００１５】
前記電線支持具５のベース部３には、被覆電線２を差し込むだけで被覆した合成樹脂フィルム状の被覆２ａに亀裂が形成されて、被覆２ａ内の芯線２ｂに直接接触して電気的に接続可能なる導電性のコンタクトプレート１０がインサート成形してなる。該コンタクトプレート１０は、光源支持具９のベース部７に配設した基板１１と電気的に常時接続されてなると共にプラス電極側部材１０ａとマイナス電極側部材１０ｂとが一体に形成されているが、成形後にドライバーのマイナス差込部(図示省略)などで断絶されてなるもので、符号１２は、該コンタクトプレート１０のプラス電極側部材１０ａとマイナス電極側部材１０ｂとがが断絶された部位を示す。
【００１６】
前記光源支持具９のベース部７を中心に、電線支持具５と、光源支持具９のカバー部８とがほぼＬ字状(図２では逆Ｌ字状）に形成されてなり、電線支持具５のカバー部４（請求項３の一方）が光源支持具９のカバー部８(請求項３の他方）に係合する関係に構成されてなる。
【００１７】
より詳細に説明すると、前記光源支持具９のベース部７と、カバー部８とは、薄肉ヒンジ部１３により図１に示す閉じた状態から図２乃至図５に示す開いた状態までの折り曲げが反復して可能となっていて、電線支持具５のベース部３と、カバー部４とは、薄肉ヒンジ部１４により図１に示す閉じた状態から図２乃至図５に示す開いた状態までの折り曲げが反復して可能となっている。該薄肉ヒンジ部１３，１４の向きが異なるので、図２及び図５に示すように、光源支持具９のベース部７に対してカバー部８は被覆電線２に沿った方向に開閉可能で、電線支持具５のベース部３に対してカバー部４は被覆電線２にほぼ直角な方向に開閉可能である。このため、ランプユニットの電線接続構造１として、コンパクトにできることになる。
【００１８】
かかる光源支持具９のベース部７とカバー部８とには、それぞれ離れる方向に開口１５ａの形成された第１係止部１５と、該開口１５ａに係合可能なる第２係止部１６とが突設されてなるので、第１，第２係止部１５，１６を係合させると光源支持具９のベース部７とカバー部８とが閉じた状態に確実に保持されることになる。
【００１９】
電線支持具５のカバー部４の反ベース部３側には、第３係止部１７が突設されてなると共にカバー部４を薄肉ヒンジ部１４によりベース部３上に閉じたときに該第３係止部１７が、光源支持具９のベース部７とカバー部８との間に挟持されて、結果的に電線支持具５のベース部３とカバー部４とが閉じた状態に確実に保持されることになる。
【００２０】
以上のように構成されたランプユニットの電線接続構造１は、被覆電線２を保持可能なるベース部３及び該ベース部３を覆うことで前記被覆電線２を狭持可能なるカバー部４により構成されてなる電線支持具５と、ＬＥＤ６を保持可能なるベース部７及び該ベース部７を覆うことで前記ＬＥＤ６を狭持可能なるカバー部８により構成されてなる光源支持具９とより構成されてなるので、被覆電線２もＬＥＤ６も共に電線支持具５及び光源支持具９に確実に狭持されることになり、予め被覆電線２とＬＥＤ６とを組み立てた後に搬送しても、分解などせず、品質の劣化が確実に防止できる。
【００２１】
また、前記電線支持具５のベース部３には、被覆電線２を差し込むだけで電気的に接続可能なるコンタクトプレート１０がインサート成形してなるので、コンタクトプレート１０により被覆電線２を差し込むだけで支持ができることになり、取付作業性が著しく向上する。また、コンタクトプレート１０に被覆電線２を差し込むだけで被覆部２ａから芯線２ｂが露出して電気的接続が確実となるので、接続作業性が著しく向上する。また、前記コンタクトプレート１０は、光源支持具９のベース部７に配設した基板１１と電気的に常時接続されてなるので、配線用の別部材が不要となり、その分原価が低減できる。更に、コンタクトプレート１０をベース部７に成形支持後にプラス電極側部材１０ａとマイナス電極側部材１０ｂとを断絶されてなるので、コンタクトプレート１０が被覆電線２と同じ機能を発揮できる状態にするのが容易である。
【００２２】
前記光源支持具９のベース部７を中心に、電線支持具５と、光源支持具９のカバー部８とがほぼＬ字状に形成されてなるので、コンパクトになり、狭い空間内に収納することが可能となる。また、電線支持具５のカバー部４と光源支持具９のカバー部８との一方が他方に係合する関係に構成されてなるので、双方のカバー部４，８の支持が確実となる。
【産業上の利用可能性】
【００２３】
この発明によれば、ルームランプに用いるランプユニットの電線接続構造として説明したが、これに限定されるものではなく、さまざまなランプに使用しても良い。
【００２４】
光源手段としてＬＥＤ６を例にして説明したが、これに限定されるものではなく、ベース部８とカバー部７とで挟持可能なものであれば、どのようなタイプの光源でも良い。
【図面の簡単な説明】
【００２５】
【図１】この発明の一実施例に係るランプユニットの電線接続構造を示す斜視図。
【図２】図１の矢視ＤＡに係るランプユニットの電線接続構造を拡げた状態で示す平面図。
【図３】図２の矢視ＤＢに係る状態を示す側面図。
【図４】図２の矢視ＤＣに係る状態を示す正面図。
【図５】図４の矢視ＤＤに係る状態を示す裏面図。
【図６】図５に示すコンタクトプレートのみを示す斜視図。
【符号の説明】
【００２６】
１  ランプユニットの電線接続構造
２  被覆電線
２ａ  被覆
２ｂ  芯線
３  電線支持具のベース部
４  電線支持具のカバー部(一方)
５  電線支持具
６  光源手段であるＬＥＤ
７  光源支持具のベース部
８  光源支持具のカバー部(他方)
９  光源支持具
１０  コンタクトプレート
１０ａ  プラス電極側部材
１０ｂ  マイナス電極側部材
１１  基板
１３、１４  薄肉ヒンジ部
【図１】
2006339039.tif 000003
【図２】
2006339039.tif 000004
【図３】
2006339039.tif 000005
【図４】
2006339039.tif 000006
【図５】
2006339039.tif 000007
【図６】
2006339039.tif 000008